(57)【特許請求の範囲】
【請求項１】
入力映像信号に含まれる高域成分を抽出して増幅し、ピーキング信号を生成するピーキング信号生成部と、
少なくとも色成分抽出領域の指定を受け付ける操作部と、
前記指定された色成分抽出領域内の映像信号から飽和度変換値を得る飽和度変換部と、
前記指定された色成分抽出領域内の映像信号から色相変換値を得る色相変換部と、
前記指定された色成分抽出領域内から抽出した輝度値と、前記飽和度変換値と、前記色相変換値と、予め設定された設定幅とに基づいて、前記入力映像信号が有する色成分により構成される第１の色空間のうち、前記指定された色成分抽出領域に含まれる色成分に対応した第２の色空間を規定するための閾値を生成する閾値生成部と、
前記閾値生成部で生成された閾値に基づき、前記第１の色空間のうち、前記第２の色空間と一致する色空間をゲートするための、色検出ゲート信号を生成するエリア判定部と、
前記エリア判定部で生成された色検出ゲート信号に基づいて、前記ピーキング信号生成部で生成されたピーキング信号をマスク処理するピーキングマスク処理部と、
前記ピーキングマスク処理部でマスク処理された映像信号を所定のスケーリング比率を用いて画素数の変換を行うスケーリング処理部とを備えた
映像信号処理装置。
【請求項２】
請求項１記載の映像信号処理装置において、
前記閾値生成部は、
前記指定された色成分抽出領域内から抽出した輝度値の平均値に前記設定幅の半分の値を加算して輝度上限閾値を生成し、
前記指定された色成分抽出領域内から抽出した輝度値の平均値に前記設定幅の半分の値を減算して輝度下限閾値を生成し、
前記飽和度変換値の平均値に前記設定幅の半分の値を加算して飽和度上限閾値を生成し、
前記飽和度変換値の平均値に前記設定幅の半分の値を減算して飽和度下限閾値を生成し、
前記色相変換値の平均値に前記設定幅の半分の値を加算して色相上限閾値を生成し、
前記色相変換値の平均値に前記設定幅の半分の値を減算して色相下限閾値を生成する
映像信号処理装置。
【請求項３】
請求項１または２記載の映像信号処理装置において、
前記操作部は、輪郭補正有効領域の指定をさらに受け付け、
前記指定された輪郭補正有効領域に対応する位置情報を記載したエリアゲート信号を生成する制御部と、
前記制御部から供給される前記エリアゲート信号に基づいて、前記指定された輪郭補正有効領域のみに、前記ピーキングマスク処理部でマスク処理されたピーキング信号が加算された映像信号を出力する処理を行うマスク処理部とをさらに備えた
映像信号処理装置。
【請求項４】
請求項３記載の映像信号処理装置において、
前記入力映像信号に前記ピーキングマスク処理部でマスク処理されたピーキング信号を加算して前記スケーリング処理部に出力する加算部を備え、
前記マスク処理部は、前記制御部からエリアゲート信号が供給された場合には、前記ピーキングマスク処理部でマスク処理されたピーキング信号に対して、前記エリアゲート信号で指定された領域をゲートさせるためのマスク処理を行って、該マスク処理を行ったピーキング信号を前記加算部に出力する
映像信号処理装置。
【請求項５】
レンズを通して入射される被写体光を光電変換して映像信号を生成する撮像部と、
前記撮像部で生成された映像信号に含まれる高域成分を抽出して増幅し、ピーキング信号を生成するピーキング信号生成部と、
少なくとも色成分抽出領域の指定を受け付ける操作部と、
前記指定された色成分抽出領域内の映像信号から飽和度変換値を得る飽和度変換部と、
前記指定された色成分抽出領域内の映像信号から色相変換値を得る色相変換部と、
前記指定された色成分抽出領域内から抽出した輝度値と、前記飽和度変換値と、前記色相変換値と、予め設定された設定幅とに基づいて、前記入力映像信号が有する色成分により構成される第１の色空間のうち、前記指定された色成分抽出領域に含まれる色成分に対応した第２の色空間を規定するための閾値を生成する閾値生成部と、
前記閾値生成部で生成された閾値に基づき、前記第１の色空間のうち、前記第２の色空間と一致する色空間をゲートするための、色検出ゲート信号を生成するエリア判定部と、
前記エリア判定部で生成された色検出ゲート信号に基づいて、前記ピーキング信号生成部で生成されたピーキング信号をマスク処理するピーキングマスク処理部と、
前記ピーキングマスク処理部でマスク処理された映像信号を所定のスケーリング比率を用いて画素数の変換を行うスケーリング処理部とを備えた
撮像装置。
【請求項６】
請求項５記載の撮像装置において、
前記閾値生成部は、
前記指定された色成分抽出領域内から抽出した輝度値の平均値に前記設定幅の半分の値を加算して輝度上限閾値を生成し、
前記指定された色成分抽出領域内から抽出した輝度値の平均値に前記設定幅の半分の値を減算して輝度下限閾値を生成し、
前記飽和度変換値の平均値に前記設定幅の半分の値を加算して飽和度上限閾値を生成し、
前記飽和度変換値の平均値に前記設定幅の半分の値を減算して飽和度下限閾値を生成し、
前記色相変換値の平均値に前記設定幅の半分の値を加算して色相上限閾値を生成し、
前記色相変換値の平均値に前記設定幅の半分の値を減算して色相下限閾値を生成する
撮像装置。
【請求項７】
請求項５または６記載の撮像装置において、
前記操作部は、輪郭補正有効領域の指定をさらに受け付け、
前記指定された輪郭補正有効領域に対応する位置情報を記載したエリアゲート信号を生成する制御部と、
前記制御部から供給される前記エリアゲート信号に基づいて、前記指定された輪郭補正有効領域のみに、前記ピーキングマスク処理部でマスク処理されたピーキング信号が加算された映像信号を出力する処理を行うマスク処理部とをさらに備えた
撮像装置。
【請求項８】
請求項５記載の撮像装置において、
前記ピーキングマスク処理部でマスク処理されたピーキング信号が加算された映像信号及び／又は前記入力映像信号で構成される映像を表示する表示部を備えた
撮像装置。
【請求項９】
入力映像信号に含まれる高域成分を抽出して増幅し、ピーキング信号を生成するステップと、
少なくとも色成分抽出領域の指定を受け付けるステップと、
前記指定された色成分抽出領域内の映像信号から飽和度変換値を得るステップと、
前記指定された色成分抽出領域内の映像信号から色相変換値を得るステップと、
前記指定された色成分抽出領域内から抽出した輝度値と、前記飽和度変換値と、前記色相変換値と、予め設定された設定幅とに基づいて、前記入力映像信号が有する色成分により構成される第１の色空間のうち、前記指定された色成分抽出領域に含まれる色成分に対応した第２の色空間を規定するための閾値を生成するステップと、
前記閾値に基づき、前記第１の色空間のうち、前記第２の色空間と一致する色空間をゲートするための、色検出ゲート信号を生成するステップと、
前記色検出ゲート信号に基づいて、前記ピーキング信号をマスク処理するステップと
前記マスク処理された映像信号を所定のスケーリング比率を用いて画素数の変換を行うステップとを有する
映像信号処理方法。
【請求項１０】
請求項９記載の映像信号処理方法において、
前記閾値として、
前記指定された色成分抽出領域内から抽出した輝度値の平均値に前記設定幅の半分の値を加算して輝度上限閾値を生成し、
前記指定された色成分抽出領域内から抽出した輝度値の平均値に前記設定幅の半分の値を減算して輝度下限閾値を生成し、
前記飽和度変換値の平均値に前記設定幅の半分の値を加算して飽和度上限閾値を生成し、
前記飽和度変換値の平均値に前記設定幅の半分の値を減算して飽和度下限閾値を生成し、
前記色相変換値の平均値に前記設定幅の半分の値を加算して色相上限閾値を生成し、
前記色相変換値の平均値に前記設定幅の半分の値を減算して色相下限閾値を生成する
映像信号処理方法。
【請求項１１】
請求項９または１０記載の映像信号処理方法において、
輪郭補正有効領域の指定を受け付けるステップと、
前記指定された輪郭補正有効領域に対応する位置情報を記載したエリアゲート信号を生成するステップと、
前記エリアゲート信号に基づいて、前記指定された輪郭補正有効領域のみに、前記マスク処理されたピーキング信号が加算された映像信号を出力するステップとをさらに有する
映像信号処理方法。
【発明の詳細な説明】
【技術分野】
【０００１】
本発明は、映像信号処理装置、撮像装置及び映像信号処理方法に関し、特にフォーカス調整用に映像中のエッジ部分等を強調表示する、ピーキングを行う映像信号処理技術に関する。
【背景技術】
【０００２】
従来、放送局用のビデオカメラやカメラ一体型ビデオテープレコーダでは、フォーカス調整を容易にするために、フォーカス調整時に、高域成分が強調され画像の輪郭が明瞭化された撮像画をビューファインダに表示するようにしている。このときビューファインダに表示する撮影画は、ビデオカメラ等の撮像装置で得られた映像信号にピーキング信号を加算したものとなる。
【０００３】
ピーキング信号とは、映像信号を構成する輝度信号から高域成分を抽出し、増幅することで生成される信号である。このようにして生成されたピーキング信号を映像信号に加算し、ビューファインダに出力することで、ビューファインダに表示される撮影画は、映像中の輪郭部分等が強調して表示されるようになる。撮影者（以下、ユーザとも称する）は、このような表示が行われた画面を見ることで、フォーカス調整を容易に行うことができる。
【０００４】
図１４は、このような高域成分が強調された撮像画を表示する、従来の撮像装置２００の構成例を示すブロック図である。図１４に示した撮像装置２００は、カメラ部１５０とビューファインダ部１６０とから構成される。まず、カメラ部１５０の構成を説明すると、カメラ部１５０は、光学系として、撮像レンズ１０１と、レンズ鏡筒１０２と、プリズム１０３とを備え、撮像素子１０４Ｂ，１０４Ｇ，１０４Ｒで撮像を行う。撮像素子１０４Ｂ，１０４Ｇ，１０４Ｒでの撮像で得た映像信号は、ビデオアンプ１０５と、アナログ・デジタル変換部１０６（以下、Ａ／Ｄ変換部１０６と称する）と、デジタル信号処理部１０７と、デジタル・アナログ変換部（以下、Ｄ／Ａ変換部１０８と称する）とで処理される構成としてある。
【０００５】
撮像レンズ１０１は、被写体の光学像を撮像素子１０４Ｂ，１０４Ｇ，１０４Ｒの各感光面（図示略）上に結像するものであり、フォーカス調整機能を有する。レンズ鏡筒１０２は、撮像レンズ１０１を格納する筒である。プリズム１０３は、撮像レンズ１０１を通して入射される光線をＲ（赤）Ｇ（緑）Ｂ（青）の３原色の光線に分解する。
【０００６】
撮像素子１０４Ｂ，１０４Ｇ，１０４Ｒは、プリズム１０３によって分解された各色の光線を光電変換して映像信号ＡＢ，ＡＧ，ＡＲを生成し、得られた映像信号ＡＢ，ＡＧ，ＡＲをビデオアンプ１０５に出力する。ビデオアンプ１０５は、撮像素子１０４Ｂ，１０４Ｇ，１０４Ｒから出力された映像信号ＡＢ，ＡＧ，ＡＲを増幅して、増幅して得られた映像信号ＡＢ′，ＡＧ′，ＡＲ′を、Ａ／Ｄ変換部１０６に出力する。Ａ／Ｄ変換部１０６は、ビデオアンプ１０５から出力された映像信号ＡＢ′，ＡＧ′，ＡＲ′をデジタルの映像信号ＤＢ，ＤＧ，ＤＲに変換して出力する。
【０００７】
デジタル信号処理部１０７は、映像信号ＤＲ，ＤＧ，ＤＢのそれぞれに対して、マトリクス処理を含むデジタル信号処理を施して輝度信号ＤＹ、色差信号ＤＵ，ＤＶを生成し、生成した各信号をＤ／Ａ変換部１０８へ出力する。Ｄ／Ａ変換部１０８は、デジタル信号処理部１０７から出力されたデジタルの輝度信号ＤＹをアナログの輝度信号ＡＹに変換し、同じくデジタル信号処理部１０７から出力されたデジタルの色差信号ＤＵ，ＤＶを、アナログの色差信号ＡＵ，ＡＹに変換する。そして、生成した輝度信号ＡＹ及び色差信号ＡＵ，ＡＹを、ビューファインダ部１６０に出力する。
【０００８】
ビューファインダ部１６０は、ビデオアンプ１０９、帯域制限フィルタ１１０、Ａ／Ｄ変換部１１１、ピーキング信号生成部１１２、乗算器１１３、加算器１１４、スケーリング処理部１１５、マトリクス処理部１１６、表示素子駆動部１１７、表示素子１１８とを含む。
【０００９】
ビデオアンプ１０９は、カメラ部１５０のＤ／Ａ変換部１０８から出力された輝度信号ＡＹ、色差信号ＡＵ、ＡＶを増幅し、増幅した輝度信号ＡＹ′、色差信号ＡＵ′，ＡＶ′を帯域制限フィルタ１１０へ供給する。帯域制限フィルタ１１０は、ローパスフィルタもしくはバンドパスフィルタで構成してあり、入力された輝度信号ＡＹ′、色差信号ＡＵ′，ＡＶ′の周波数帯域を所定の周波数帯域に制限して、帯域制限された輝度信号ＡＹ′′、色差信号ＡＵ′′，ＡＶ′′をＡ／Ｄ変換部１１１に出力する。
【００１０】
Ａ／Ｄ変換部１１１は、帯域制限フィルタ１１０から出力された輝度信号ＡＹ′′、色差信号ＡＵ′′，ＡＶ′′を、それぞれデジタルの輝度信号ＤＹ、デジタルの色差信号ＤＵ，ＤＶに変換し、輝度信号ＤＹをピーキング信号生成部１１２と加算器１１４に、色差信号ＤＵとＤＶはスケーリング処理部１１５に出力する。
【００１１】
ピーキング信号生成部１１２は、Ａ／Ｄ変換部１１１から出力された輝度信号ＤＹから高周波成分を抽出してピーキング信号を生成する。そして、生成したピーキング信号を乗算器１１３に出力する。乗算器１１３は、図示せぬ制御部等から供給されるピーキングレベル設定信号と、ピーキング信号生成部１１２から出力されたピーキング信号とを乗算し、乗算後のピーキング信号ＰＥＡＫを加算器１１４に出力する。
【００１２】
ここでいうピーキングレベル設定信号とは、ピーキングの度合い（強弱）を設定するための信号であり、ピーキングの度合いは、図示せぬ操作部等を通してユーザ（撮影者）が設定可能としてある。従って、乗算器１１３より出力される、ピーキング設定信号とピーキング信号とが乗算されて生成されたピーキング信号ＰＥＡＫは、ピーキングのレベルが所定の値に調整されたピーキング信号となる。
【００１３】
加算器１１４は、Ａ／Ｄ変換部１１１から出力された輝度信号ＤＹに、乗算器１１３から出力されたピーキング信号ＰＥＡＫを加算して、輝度信号ＤＹｐｋとしてスケーリング処理部１１５に出力する。スケーリング処理部１１５は、加算器１１４から出力された輝度信号ＤＹｐｋと、Ａ／Ｄ変換部１１１から出力された色差信号ＤＵ，ＤＶとを、表示素子１１８の画素数に応じて画素数の変換を行う画素変換をしたり、ｉ／ｐ（interlace／progressive）変換したりする処理を行う。処理後の輝度信号ＤＹｐｋ′と色差信号ＤＵ′，ＤＶ′は、マトリクス処理部１１６に出力される。
【００１４】
マトリクス処理部１１６は、輝度信号ＤＹｐｋ′と色差信号ＤＵ′，ＤＶ′とを、ＲＧＢ形式の映像信号に変換して、映像信号ＤＲｐｋ，ＤＧｐｋ，ＤＢｐｋを生成し、生成した各映像信号を表示素子駆動部１１７に出力する。表示素子駆動部１１７は、表示素子１１８を駆動する駆動信号を生成して表示素子１１８に供給する。表示素子１１８は、ＬＣＤ（Liquid Crystal Display）等で構成されるものであり、表示素子駆動部１１７から供給される駆動信号に基づいて、画像を表示する。
【００１５】
表示素子１１８に表示される画像を構成する、映像信号ＤＲｐｋ，ＤＧｐｋ，ＤＢｐｋは、ピーキング信号生成部１１２で生成されたピーキング信号が付加された映像信号である。このため、表示素子１１８には、輪郭部分等が強調された画像が表示されるようになる。
【００１６】
例えば特許文献１には、カラー液晶表示素子を用いたビューファインダにおいて、撮像画の輪郭部分を十分に強調して表示する技術について記載されている。
【特許文献１】特開平０９−１３９９５２号公報
【発明の開示】
【発明が解決しようとする課題】
【００１７】
ところで、上述したような従来のビューファインダ及び撮像装置においては、ピーキングを施す範囲を指定することができないため、ビューファインダに表示される撮影画全体において、画像の輪郭部分が強調されてしまうことになる。このため、特に被写界深度を深くとって撮影している場合には、フォーカスの調整を行いたい被写体以外の部分においても、その輪郭が強調されてしまうことになる。つまり、どの部分に一番フォーカスが合っているかを、ユーザが判断し辛くなってしまうという問題があった。
【００１９】
本発明はかかる点に鑑みてなされたものであり、フォーカス調整を容易に行えるようにすることを目的とする。
【課題を解決するための手段】
【００２０】
本発明は、入力映像信号に含まれる高域成分を抽出して増幅し、ピーキング信号を生成するピーキング信号生成部と、少なくとも色成分抽出領域が指定される操作部と、指定された色成分抽出領域内の映像信号から飽和度変換値を得る飽和度変換部と、指定された色成分抽出領域内の映像信号から色相変換値を得る色相変換部と、指定された色成分抽出領域内から抽出した輝度値と、飽和度変換値と、色相変換値と、予め設定された設定幅とに基づいて、入力映像信号が有する色成分により構成される第１の色空間のうち、指定された色成分抽出領域に含まれる色成分に対応した第２の色空間を規定するための閾値を生成する閾値生成部と、閾値生成部で生成された閾値に基づき、第１の色空間のうち、第２の色空間と一致する色空間をゲートするための、色検出ゲート信号を生成するエリア判定部と、エリア判定部で生成された色検出ゲート信号に基づいて、ピーキング信号生成部で生成されたピーキング信号をマスク処理するピーキングマスク処理部と、ピーキングマスク処理部でマスク処理された映像信号を所定のスケーリング比率を用いて画素数の変換を行うスケーリング処理部とを備えるようにしたものである。
【００２１】
このようにしたことで、ピーキング信号による輪郭補正が行われるエリアが、操作部を通して色成分抽出領域として設定された領域に含まれる色成分と対応する色成分を有する領域に、限定されるようになる。
【発明の効果】
【００２３】
本発明によると、ピーキング信号による輪郭補正が行われるエリアが、操作部を通して色成分抽出領域として設定された領域に含まれる色成分と対応する色成分を有する領域に限定されるようになるため、ユーザは、フォーカス調整を行いたい特定の色の領域のみに輪郭補正処理を施すことができるようになる。従って、容易にフォーカス調整を行うことができるようになる。
【発明を実施するための最良の形態】
【００２６】
以下、本発明の一実施の形態を、図１〜図１１を参照して説明する。本実施の形態における撮像装置は、ピーキング処理（以下、輪郭補正処理とも称する）を施す範囲を、ユーザに自由に指定させることができるようにするものである。本例では、ピーキング処理を施す範囲を、映像信号に含まれる色成分や、ビューファインダの画面上の表示領域を指定することにより、特定できるようにしている。
【００２７】
ピーキング処理を施す範囲を、色成分を指定することにより特定できる「色選択輪郭補正モード」においては、ユーザにより画面上の任意の領域を指定させ、その領域で検出された色成分と近似する色成分を有する映像信号にのみ、ピーキング信号を加算する。また、画面上の任意の領域を指定することにより特定できる「領域選択輪郭補正モード」においては、ユーザにより指定された領域に表示される映像信号にはピーキング信号を加算し、指定された領域以外の領域においては、ピーキング処理を施さないようにする。
【００２８】
本例においては、これらの２つのモードに加えて、ピーキング処理を施す範囲を指定しない「標準輪郭補正モード」（従来の機能と同様）も設け、これらの３つのモードをユーザが自由に切り替え可能に構成している。
【００２９】
さらに、輪郭補正が施されたフォーカス調整用の映像と、輪郭補正の施されていない構図確認用の映像とを同一画面上に同時に表示させ、輪郭補正が行われた映像を拡大して表示することもできる機能も備えさせてある。表示の形態としては、「拡大表示モード１」と「拡大表示モード２」及び、拡大表示を使用しないモードとしての「標準輪郭補正モード」の３つのモードを設けており、これらのモードを、ユーザによって切り替え可能な構成としている。
【００３０】
なお、本例では、１つの撮像装置が、輪郭補正のモードとしては３つのモードを、拡大表示のモードとしては３つのモードを有する例を挙げて説明するが、この構成に限定されるものではない。例えば、輪郭補正のモードとしては「領域選択輪郭補正モード」と「標準輪郭補正モード」のみを有し、２つの拡大表示モードも備える構成等に適用してもよい。
【００３１】
図１は、本例における撮像装置１００の構成例を示すブロック図である。図１に示した撮像装置１００は、カメラ部５０とビューファインダ部６０とで構成される。まず、カメラ部５０の構成を説明すると、カメラ部５０は、光学系として、撮像レンズ１と、レンズ鏡筒２と、プリズム３とを備え、撮像素子４Ｂ，４Ｇ，４Ｒで撮像を行う。撮像素子４Ｂ，４Ｇ，４Ｒでの撮像で得た映像信号は、ビデオアンプ５と、Ａ／Ｄ変換部６と、デジタル信号処理部７と、Ｄ／Ａ変換部８とで処理される構成としてある。
【００３２】
撮像レンズ１は、被写体の光学像を撮像素子４Ｂ，４Ｇ，４Ｒの各感光面（図示略）上に結像するものであり、フォーカス調整機能を有する。レンズ鏡筒２は、撮像レンズ１を格納する筒であり、その側面には撮影倍率目盛や距離目盛などが表示されている。プリズム３は、撮像レンズ１を通して入射される光線をＲ（赤）Ｇ（緑）Ｂ（青）の３原色の光線に分解するものであり、ダイクロイックプリズム等で構成される。なお、本例では３板式の撮像装置を例に挙げているが、単板式や２板式、４板式等、他の形式の撮像装置に適用してもよい。
【００３３】
撮像素子４Ｂ，４Ｇ，４Ｒは、プリズム３によって分解された各色の光線を光電変換して映像信号ＡＢ，ＡＧ，ＡＲを生成し、得られた映像信号ＡＢ，ＡＧ，ＡＲをビデオアンプ５に出力する。撮像素子４Ｂ，４Ｇ，４Ｒは、例えばＣＣＤ（Charge Coupled Devices）やＣＭＯＳ（Complementary Metal Oxide Semiconductor）等で構成される。ビデオアンプ５は、撮像素子４Ｂ，４Ｇ，４Ｒから出力された映像信号ＡＢ，ＡＧ，ＡＲを増幅して、増幅して得られた映像信号ＡＢ′，ＡＧ′，ＡＲ′を、Ａ／Ｄ変換部６に出力する。Ａ／Ｄ変換部６は、ビデオアンプ５から出力された映像信号ＡＢ′，ＡＧ′，ＡＲ′をデジタルの映像信号ＤＢ，ＤＧ，ＤＲに変換して出力する。
【００３４】
デジタル信号処理部７は、映像信号ＤＲ，ＤＧ，ＤＢのそれぞれに対して、マトリクス処理を含むデジタル信号処理を施して輝度信号ＤＹ、色差信号ＤＵ，ＤＶを生成し、生成した各信号をＤ／Ａ変換部８へ出力する。Ｄ／Ａ変換部８は、デジタル信号処理部７から出力されたデジタルの輝度信号ＤＹをアナログの輝度信号ＡＹに変換し、同じくデジタル信号処理部７から出力されたデジタルの色差信号ＤＵ，ＤＶを、アナログの色差信号ＡＵ，ＡＶに変換する。そして、生成した輝度信号ＡＹ及び色差信号ＡＵ，ＡＶを、ビューファインダ部６０に出力する。
【００３５】
ビューファインダ部６０は、ビデオアンプ９、帯域制限フィルタ１０、Ａ／Ｄ変換部１１、ピーキング処理部１２、乗算器１３、スイッチＳｗ１、加算器１４、スイッチＳｗ２、加算器１５、画像処理部３０、マーカ加算部１９、ＯＳＤ（On Screen Display）処理部２０、表示素子駆動部２１、表示素子２２、操作部３１、制御部３２とを含む。
【００３６】
また画像処理部３０には、第１のスケーリング処理部１６ａ及び第２のスケーリング処理部１６ｂ、第１のマトリクス処理部１７ａ及び第２のマトリクス処理部１７ｂ、オーバレイ処理部１８とが含まれる。画像処理部３０内の各部の詳細については後述する。
【００３７】
なお、カメラ部５０とビューファインダ部６０間でやりとりする信号は、アナログ信号に限定されるものではなく、デジタル信号で行うようにしてもよい。この場合は、カメラ部５０のＤ／Ａ変換部８からビューファインダ部６０のＡ／Ｄ変換部１１までの構成は省略される。
【００３８】
ビデオアンプ９は、カメラ部５０のＤ／Ａ変換部８から出力された輝度信号ＡＹ、色差信号ＡＵ、ＡＶを増幅し、増幅した輝度信号ＡＹ′、色差信号ＡＵ′，ＡＶ′を帯域制限フィルタ１０へ供給する。帯域制限フィルタ１０は、ローパスフィルタもしくはバンドパスフィルタで構成してあり、入力された輝度信号ＡＹ′、色差信号ＡＵ′，ＡＶ′の周波数帯域を所定の周波数帯域に制限して、帯域制限された輝度信号ＡＹ′′、色差信号ＡＵ′′，ＡＶ′′をＡ／Ｄ変換部１１に出力する。
【００３９】
Ａ／Ｄ変換部１１は、帯域制限フィルタ１０から出力された輝度信号ＡＹ′′、色差信号ＡＵ′′，ＡＶ′′を、それぞれデジタルの輝度信号ＤＹ、デジタルの色差信号ＤＵ，ＤＶに変換し、輝度信号ＤＹはピーキング処理部１２と加算器１４と１５に、色差信号ＤＵとＤＶは、ピーキング処理部１２と第１のスケーリング処理部１６ａ及び第２のスケーリング処理部１６ｂに出力する。
【００４０】
ピーキング処理部１２は、Ａ／Ｄ変換部１１から出力された輝度信号ＤＹから高周波成分を抽出してピーキング信号ＰＫを生成する。被写体を撮影したときにフォーカスが合っていない状態では、画像ボケを生じているため、輝度信号ＤＹには高域成分が含まれない。このため、ピーキング処理部１２ではピーキング信号ＰＫが生成されない。一方、フォーカス調整が行われてフォーカスが合う状態に近づくと、画像の輪郭が明瞭となるため、輪郭部分における輝度信号ＤＹには、高域成分が発生するようになる。従って、ピーキング処理部１２では、フォーカスが合う状態に近づいた段階で、輝度信号ＤＹの高域成分に基づいてピーキング信号ＰＫが生成される。ピーキング処理部１２の詳細については、次の図２を参照して後述する。
【００４１】
ピーキング処理部１２へは、サンプリングタイミング制御信号や、「輝度設定幅」、「飽和度設定幅」、「色相設定幅」等の各種設定幅を指定するための設定信号（以下、各種設定幅設定信号とも称する）が、制御部３２から供給される。サンプリングタイミング制御信号とは、ユーザにより指定された領域における、色成分のサンプリングのオン・オフを制御する信号である。
【００４２】
サンプリングのオン（開始）を指示する制御信号は、ユーザによって操作部３１等を介してサンプリングの開始を指示する入力を受け付けた段階で、制御部３２により生成され、ピーキング処理部１２に供給される。本例では、後述する輪郭補正モード切り替え用のスイッチを長押しする操作を、サンプリングのオンを指示する制御信号の生成トリガとして割り当てているが、他の操作をトリガとするようにしてもよい。各種設定幅設定信号の詳細については後述する。
【００４３】
乗算器１３は、制御部３２から供給されるピーキングレベル設定信号と、ピーキング処理部１２から出力されたピーキング信号ＰＫとを乗算し、乗算後のピーキング信号ＰＫ′を、スイッチＳｗ１及びスイッチＳｗ２に出力する。
【００４４】
ピーキングレベル設定信号とは、ピーキングの度合い（強弱）を設定するための信号であり、ピーキングの度合いは、操作部３１等を通してユーザが設定可能としてある。従って、乗算器１３より出力されるピーキング信号ＰＫ′は、ピーキングのレベルが所定の値に調整されたピーキング信号とになる。
【００４５】
スイッチＳｗ１とスイッチＳｗ２とは、それぞれ制御部３２から供給される制御信号に基づいて開閉するものである。具体的には、ユーザによって「映像領域選択輪郭補正モード」を選択する操作があった場合には、スイッチＳｗ２がオンになり、スイッチＳｗ１がオフされるような制御が行われる。「映像領域選択輪郭補正モード」以外のモードが選択された場合には、スイッチＳｗ１がオンになり、スイッチＳｗ２がオフになるよう制御される。
【００４６】
スイッチＳｗ１は、オンされることで、ピーキングレベルが調整されたピーキング信号ＰＫ′を加算器１４に出力し、スイッチＳｗ２は、オンされることで、ピーキングレベルが調整されたピーキング信号ＰＫ′を加算器１５に出力する。
【００４７】
加算器１４は、Ａ／Ｄ変換部１１から出力された輝度信号ＤＹに、スイッチＳｗ１を通して伝送されたピーキング信号ＰＫ′を加算し、輝度信号ＤＹｐｋ１として第１のスケーリング処理部１６ａに出力する。加算器１５は、Ａ／Ｄ変換部１１から出力された輝度信号ＤＹに、スイッチＳｗ２を通して伝送されたピーキング信号ＰＫ′を加算し、輝度信号ＤＹｐｋ２として第２のスケーリング処理部１６ｂに出力する。
【００４８】
第１のスケーリング処理部１６ａは、加算器１４から出力された輝度信号ＤＹｐｋ１と、Ａ／Ｄ変換部１１から出力された色差信号ＤＵ，ＤＶとを、表示素子２２の解像度に応じて画素変換したり、ｉ／ｐ変換したりする処理を行う。処理後の輝度信号ＤＹｐｋ１′と色差信号ＤＵ′，ＤＶ′は、第１のマトリクス処理部１７ａに出力される。第２のスケーリング処理部１６ｂも第１のスケーリング処理部１６ａと同様の処理を行うものであり、加算器１５から出力された輝度信号ＤＹｐｋ２と、Ａ／Ｄ変換部１１から出力された色差信号ＤＵ，ＤＶとを、表示素子２２の解像度に応じて画素変換（拡大又は縮小）したり、ｉ／ｐ変換したりする処理を行う。そして、処理後の輝度信号ＤＹｐｋ２′と色差信号ＤＵ′，ＤＶ′とを、第２のマトリクス処理部１７ｂに出力する。
【００４９】
この場合の、画素変換におけるスケーリングの比率は、制御部３２より供給されるスケーリング比率設定信号に基づいて決定される。スケーリング比率設定信号は、第１のスケーリング処理部１６ａと第２のスケーリング処理部１６ｂのそれぞれに対して出力されるものであり、表示のモード（「拡大表示モード１」「拡大表示モード２」「拡大表示モードオフ」）がいずれのモードに選択されているかによって、スケーリングの比率が定まるようにしてある。表示のモードとスケーリングの比率との関係については、後述する。
【００５０】
第１のマトリクス処理部１７ａは、第１のスケーリング処理部１６ａから出力された輝度信号ＤＹｐｋ１′と色差信号ＤＵ′，ＤＶ′とを、ＲＧＢ形式の映像信号に変換して映像信号ＤＲｐｋ１，ＤＧｐｋ１，ＤＢｐｋ１を生成し、生成した各映像信号をオーバレイ処理部１８に出力する。第２のマトリクス処理部１７ｂは、第２のスケーリング処理部１６ｂから出力された輝度信号ＤＹｐｋ２′と色差信号ＤＵ′，ＤＶ′とを、ＲＧＢ形式の映像信号に変換して映像信号ＤＲｐｋ２，ＤＧｐｋ２，ＤＢｐｋ２を生成し、生成した各映像信号をオーバレイ処理部１８に出力する。
【００５１】
オーバレイ処理部１８は、第１のマトリクス処理部１７ａから出力された映像信号ＤＲｐｋ１，ＤＧｐｋ１，ＤＢｐｋ１と、第２のマトリクス処理部１７ｂから出力された映像信号ＤＲｐｋ２，ＤＧｐｋ２，ＤＢｐｋ２とをそれぞれ合成して、映像信号ＤＲｐｋ，ＤＧｐｋ，ＤＢｐｋを生成する。
【００５２】
映像信号ＤＲｐｋ１，ＤＧｐｋ１，ＤＢｐｋ１により構成される映像をＣＨ１、映像信号ＤＲｐｋ２，ＤＧｐｋ２，ＤＢｐｋ２により構成される映像をＣＨ２と称した場合、オーバレイ処理部１８による映像ＣＨ１と映像ＣＨ２との合成処理は、制御部３２から供給される２画面合成制御信号に基づいて行われる。
【００５３】
またオーバレイ処理部１８は、制御部３２よりエリアゲート信号が入力された場合には、第２のマトリクス処理部１７ｂから入力される映像信号ＣＨ２に対して、マスク処理を行う。エリアゲート信号とは、画面上の表示領域において輪郭補正処理を施す範囲（位置や大きさ）を指定する信号であり、「映像領域選択輪郭補正モード」が選択されている場合にのみ生成される。
【００５４】
エリアゲート信号に基づいて、オーバレイ処理部１８でマスク処理が行われることにより、画面上の指定された位置に、輪郭補正が施された映像信号ＣＨ２による映像が出力されるようになる。なお、２画面合成制御信号やエリアゲート信号の値は、選択された表示のモードの種類によって変わるようにしてある。
【００５５】
マーカ加算部１９は、色成分を抽出する対象の領域を指定するための「色成分抽出領域指定マーカ」を構成する信号や、輪郭補正を有効にする領域を指定するための「輪郭補正有効領域指定マーカ」を構成する信号等を、オーバレイ処理部１８から出力された映像信号ＤＲｐｋ，ＤＧｐｋ，ＤＢｐｋに重畳する。そして、それらが重畳された映像信号ＤＲｐｋ′，ＤＧｐｋ′，ＤＢｐｋ′を、ＯＳＤ処理部２０に出力する。
【００５６】
ＯＳＤ処理部２０は、表示素子２２に表示させる映像に、各種設定用のメニュー等を重畳して表示するためのＯＳＤ処理を行う。表示素子駆動部２１は、表示素子２２を駆動する駆動信号を生成して表示素子２２に供給する。表示素子２２は、ＬＣＤ（Liquid Crystal Display）等で構成されるものであり、表示素子駆動部２１から供給される駆動信号に基づいて、画像を表示する。
【００５７】
操作部３１は、スイッチやボタン、つまみ等で構成されるインターフェースを備えるものであり、それらのインターフェースを介してユーザからの入力された操作内容に応じて、操作信号を生成し、生成した操作信号を制御部３２に供給する。具体的には、輪郭補正のモードを切り替えるための「輪郭補正モード切替スイッチ」や、操作内容を取り消すための「キャンセルスイッチ」、設定メニューを選択したり値を設定するためのスイッチや、つまみ等を備えるものとする。
【００５８】
制御部３２は、ＭＰＵ（Micro Processing Unit）等により構成されるものであり、撮像装置１００を構成する各部の制御を行う。操作部３１より操作信号が入力された場合には、その内容に応じて、輪郭補正モードの切り替えを指示する信号や、サンプリングタイミング制御信号や各種設定幅設定信号、ピーキングレベル設定信号、スケーリング比率設定信号、エリアゲート信号、２画面合成制御信号、ＯＳＤ制御信号等を生成し、上述した各部に供給する。
【００５９】
次に、図２を参照して、ピーキング処理部１２の構成の詳細について説明する。図２に示したピーキング処理部１２は、ピーキング信号生成部１２−１、飽和度変換部１２−２、色相変換部１２−３、閾値生成部１２−４、エリア判定部１２−５、ピーキングマスク処理部１２−６とを有する。
【００６０】
ピーキング信号生成部１２−１は、輝度信号ＤＹから高周波成分を抽出してピーキング信号ＰＥＡＫを生成し、生成したピーキング信号ＰＥＡＫをピーキングマスク処理部１２−６に出力する。飽和度変換部１２−２は、Ａ／Ｄ変換部１１（図１参照）から入力された色差信号ＤＵ，ＤＶを演算処理することにより、飽和度変換値ｉ＿ＳＡＴを生成し、得られた飽和度変換値ｉ＿ＳＡＴを、閾値生成部１２−４とエリア判定部１２−５に出力する。色相変換部１２−３は、同じくＡ／Ｄ変換部１１から入力された色差信号ＤＵ，ＤＶを演算処理することにより、色相変換値ｉ＿ＨＵＥを生成し、得られた色相変換値ｉ＿ＨＵＥを、閾値生成部１２−４とエリア判定部１２−５に出力する。
【００６１】
閾値生成部１２−４は、サンプリングの開始を指示するサンプリングタイミング制御信号を、制御部３２から受け付けると、水平同期信号ＨＤおよび垂直同期信号ＶＤに同期して、所定のエリア内の輝度値ｉ＿Ｙ、飽和度変換値ｉ＿ＳＡＴ、色相変換値ｉ＿ＨＵＥをサンプリングする。ここでいう所定のエリアとは、ユーザにより画面上で「色成分抽出領域」として指定された領域である。「色成分抽出領域」は、画面上に表示された「色成分抽出領域指定マーカ」の大きさや位置に基づいて決定される。
【００６２】
なお、「標準輪郭補正モード」が選択されている場合には、色成分のサンプリングを指示する操作は行われないため、上述したような閾値生成部１２−４での処理も、行われなくなる。
【００６３】
図３（ａ）に、「色成分抽出領域指定マーカ」の表示例を示してある。図３（ａ）においては、画面の中央部分に、色成分抽出領域指定マーカＭｋ１が表示されている。ユーザよりこの位置を確定する操作を受け付けた段階で、この領域が色成分抽出領域Ａｒ１となる。
【００６４】
図２に戻って説明を続けると、閾値生成部１２−４は、所定のエリア内における輝度値ｉ＿Ｙのサンプル値、飽和度変換値ｉ＿ＳＡＴのサンプル値、色相変換値ｉ＿ＨＵＥのサンプル値を用いて、まずそれぞれの色成分における平均値を求める。そして、求めた各平均値を、輝度サンプル値、飽和度サンプル値、色相サンプル値とする。さらに、得られた輝度サンプル値、飽和度サンプル値、色相サンプル値を基に、輝度閾値Ｙｍｉｎと輝度閾値Ｙｍａｘ、飽和度閾値Ｓｍｉｎと飽和度閾値Ｓｍａｘ、色相閾値Ｈｍｉｎと色相閾値Ｈｍａｘとを生成する。各閾値における「ｍｉｎ」とは、閾値の下限を示すものであり、「ｍａｘ」とは、閾値の上限を示すものである。
【００６５】
輝度閾値Ｙｍｉｎ及び輝度閾値Ｙｍａｘ、飽和度閾値Ｓｍｉｎ及び飽和度閾値Ｓｍａｘ、色相閾値Ｈｍｉｎ及び色相閾値Ｈｍａｘは、例えば下記の式を用いることによって算出する。
輝度閾値Ｙｍｉｎ＝輝度サンプル値−輝度設定幅／２
輝度閾値Ｙｍａｘ＝輝度サンプル値＋輝度設定幅／２
飽和度閾値Ｓｍｉｎ＝飽和度サンプル値−飽和度設定幅／２
飽和度閾値Ｓｍａｘ＝飽和度サンプル値＋飽和度設定幅／２
色相閾値Ｈｍｉｎ＝色相サンプル値−色相設定幅／２
色相閾値Ｈｍａｘ＝色相サンプル値＋色相設定幅／２
【００６６】
つまり、各サンプリング値に、各種設定幅の１／２の値が加算された値が閾値ｍａｘとして設定され、各サンプリング値から、各種設定幅の１／２の値が減算された値が閾値ｍｉｎとして設定される。すなわち、閾値が、サンプリング値をセンター値として、上下の方向に幅を持ったものに設定されるようになる。「輝度設定幅」、「飽和度設定幅」、「色相設定幅」の各値は、ユーザにより操作部３１等を介して設定される。なお、本例では算出して閾値を構成するパラメータとして、各サンプル値の平均値を求めるようにしてあるが、最頻値等を用いるようにしてもよい。また、各設定幅の１／２の値を各サンプル値に加減するようにしてあるが、１／２以外の値に設定するようにしてもよい。
【００６７】
エリア判定部１２−５は、Ａ／Ｄ変換部１１（図１参照）から出力された輝度値ｉ＿Ｙを、閾値生成部１２−４で生成された輝度閾値Ｙｍｉｎ及び輝度閾値Ｙｍａｘに照らし合わせることにより、輝度値ｉ＿Ｙが、輝度閾値Ｙｍｉｎと輝度閾値Ｙｍａｘにより特定される範囲内に収まっているか否かの判断を行う。
【００６８】
同様に、飽和度変換部１２−２から出力された飽和度変換値ｉ＿ＳＡＴと、閾値生成部１２−４から出力された飽和度閾値Ｓｍｉｎ及び飽和度閾値Ｓｍａｘとを比較し、色相変換部１２−３から出力された色相変換値ｉ＿ＨＵＥと、閾値生成部１２−４から出力された色相閾値Ｈｍｉｎ及び色相閾値Ｈｍａｘとを比較する。そしてそれぞれの比較の結果から、各閾値ｍｉｎと各閾値ｍａｘとによって求まる色空間と、マッチングする色成分を有する映像信号を抽出し、抽出した映像信号をゲートさせるための、色検出ゲート信号を生成する。生成された色検出ゲート信号は、ピーキングマスク処理部１２−６に出力される。
【００６９】
従って、エリア判定部１２−５において、閾値ｍｉｎと閾値ｍａｘによって規定される色空間の範囲内に存在する色成分が抽出されなかった場合や、輪郭補正のモードとして「色選択輪郭補正モード」が選択されていない場合には、エリア判定部１２−５での色検出ゲート信号生成は行われないことになる。
【００７０】
ピーキングマスク処理部１２−６は、エリア判定部１２−５から色検出ゲート信号が入力された場合には、色検出ゲート信号に基づいて、ピーキング信号生成部１２−１から入力されたピーキング信号ＰＥＡＫにマスク処理を施し、ピーキング信号ＰＫとして乗算器１３に出力する。
【００７１】
すなわち、ここで生成されるピーキング信号ＰＫは、映像領域内の所定の色成分を含む映像信号に対して輪郭の強調（輪郭補正）を行うための信号となる。ピーキング信号ＰＫによって輪郭が強調される領域は、輪郭補正有効領域として画面上に表示するようにしてある。
【００７２】
図３（ａ）〜図３（ｃ）に、本例における色成分抽出の概念について説明した図を示してある。図３（ａ）には、ビューファインダ６０の画面上に、被写体Ｏｂ１（女性）と、被写体Ｏｂ２（コーヒーカップ）と、被写体Ｏｂ３（コーヒーカップ）とが表示された状態が示されている。そして、被写体Ｏｂ１の顔面上に、色成分抽出領域指定マーカＭｋ１が表示されている。ここでは、色成分抽出領域指定マーカＭｋ１が示す領域が、色成分抽出領域Ａｒ１として、ユーザにより確定されているものとする。
【００７３】
図３（ｂ）は輝度、色相、飽和度の三つの成分からなる色空間モデルを示している。この図において、円筒の軸の上下方向は輝度の値を示し、軸からの距離の方向は飽和度の値を示し、円周の角度は色相の値を示す。従って図３（ｂ）では、円筒の高さが輝度サンプル値Ｌの値を示し、軸から外側の方向に向かって伸びた矢印の長さが、飽和度サンプル値Ｓを示し、円周方向の回転角が色相サンプル値Ｈを示している。
【００７４】
図３（ｂ）においては、輝度サンプル値Ｌと、飽和度サンプル値Ｓと、色相サンプル値Ｈにより定まった位置が、点Ｐとして示されている。つまり、図３（ａ）に示された色成分抽出領域Ａｒ１において抽出された色成分が、図３（ｂ）に示した円筒上では、点Ｐとして表現されることになる。
【００７５】
また、図３（ｂ）において、輝度設定幅Ｗｌ、飽和度設定幅Ｗｓ、色相設定幅Ｗｈのそれぞれは、矢印の長さで表現されている。各設定幅の値は、閾値ｍｉｎと閾値ｍａｘとを算出するためのパラメータとして用いられるものであり、各値を増減させることで、閾値の幅も可変させることができる。
【００７６】
点Ｐを中心として、これらの設定幅の１／２の値だけ増減方向に幅を持たせた色空間が、すなわち閾値ｍｉｎ及び閾値ｍａｘで特定される色空間となる。この色空間にマッチングする映像領域に対してのみ、輪郭補正処理が行われるものであり、その映像領域は、画面上では輪郭補正有効領域Ａｒ２として表現される。
【００７７】
図３（ｃ）には、輪郭補正有効領域Ａｒ２を、網がけで示してある。輪郭補正有効領域Ａｒ２に指定された領域に対してのみ輪郭補正を行うことで、図３（ａ）で抽出された色成分とは異なる色成分を有する被写体Ｏｂ２や被写体Ｏｂ３、背景部に対しては、輪郭補正処理が行われなくなる。
【００７８】
閾値ｍｉｎ及び閾値ｍａｘと、各種設定値とは上述したような関係を有するものであるため、輪郭補正有効領域Ａｒ２の範囲を広げたい場合には、ユーザは各種設定幅の値をより大きな値とすればよいことになる。また、輪郭補正有効領域Ａｒ２の範囲を狭めたい場合には、ユーザは、各種設定幅の値をより小さな値に設定し直せばよい。
【００７９】
図３（ａ）においては、色成分抽出領域Ａｒ１は被写体の顔の位置に設定されているため、肌色の色成分が抽出されていることになる。ユーザが、輝度設定幅Ｗｌと飽和度設定幅Ｗｓと色相設定幅Ｗｈの各値をより小さな値に設定することにより、閾値の範囲にマッチングする色空間の範囲は狭くなる。つまり、輪郭補正有効領域Ａｒ２の範囲が、抽出された肌色の成分と同等の色成分を有する映像領域のみに限定される。
【００８０】
この場合の表示例を、図４（ａ）に示してある。図４（ａ）に示された輪郭補正有効領域Ａｒ２の範囲は、図３（ｃ）に示した輪郭補正有効領域Ａｒ２の範囲よりも狭くなっている。図４（ｂ）には、輪郭補正有効領域Ａｒ２が図３（ｃ）に示した範囲であることを確認した後に、輝度設定幅Ｗｌと飽和度設定幅Ｗｓと色相設定幅Ｗｈの各値をより大きな値に設定し直した場合の表示例を示してある。図４（ｂ）に示された輪郭補正有効領域Ａｒ２の範囲は、図３（ｃ）に示した輪郭補正有効領域Ａｒ２の範囲よりも広くなっていることが分かる。そして図４（ｂ）では、被写体Ｏｂ１以外の背景の部分も、被写体Ｏｂ１の肌の色と近い色成分を有しているため、背景の領域も、輪郭補正有効領域Ａｒ２として設定されている。
【００８１】
次に、図５と図６のフローチャートを参照して、ピーキング処理部１２における処理の例について説明する。図５においてまず、輪郭補正のモードが、「色選択輪郭補正モード」に設定されているか否かの判断が行われる（ステップＳ１）。
【００８２】
「色選択輪郭補正モード」が選択されていると判断された場合には、次に、ユーザより、色成分抽出開始の操作を受け付けたか否かの判断が行われる（ステップＳ３）。色成分抽出開始の操作を受け付けた段階で、表示素子２２（図１参照）上に色成分抽出領域指定マーカＭｋ１を表示する処理が行われる（ステップＳ４）。色成分抽出開始の操作を行わない場合は、前回抽出した色成分（もしくは初期値）により、それぞれの閾値を生成する処理が行われる（図６のステップＳ１２へ）。
【００８３】
そして、色成分抽出領域指定マーカＭｋ１で囲まれた領域が、ユーザよって確定されたか否かの判断が行われ（ステップＳ５）、確定されたと判断された場合には、色成分抽出領域Ａｒ１における色成分が抽出される（ステップＳ６）。色成分抽出以降の処理については、次の図６にフローチャートを参照して説明する。
【００８４】
図６において、まず映像信号から抽出された色差信号を基に、飽和度変換部１２−２（図２参照）で飽和度変換値ｉ＿ＳＡＴが生成され、色相変換部１２−３で色相変換値ｉ＿ＨＵＥが生成される（ステップＳ１１）。そして、閾値生成部１２−４によって、Ａ／Ｄ変換部１１（図１参照）から出力された輝度値ｉ＿Ｙと、飽和度変換部１２−２から出力された飽和度変換値ｉ＿ＳＡＴと、色相変換部１２−３から出力された色相変換値ｉ＿ＨＵＥに基づいて、輝度閾値Ｙｍｉｎと輝度閾値Ｙｍａｘ、飽和度閾値Ｓｍｉｎと飽和度閾値Ｓｍａｘ、色相閾値Ｈｍｉｎと色相閾値Ｈｍａｘが生成される（ステップＳ１２）。
【００８５】
続いて、閾値生成部１２−４において、色成分抽出領域Ａｒ１内で抽出された輝度値ｉ＿Ｙと輝度閾値Ｙｍｉｎ及び輝度閾値Ｙｍａｘとが比較され、飽和度変換値ｉ＿ＳＡＴと飽和度閾値Ｓｍｉｎ及び飽和度閾値Ｓｍａｘとが比較される。また、色相変換値ｉ＿ＨＵＥと色相閾値Ｈｍｉｎ及び色相閾値Ｈｍａｘとが比較される。そして比較結果に基づいて、特定の色成分を含むエリアが判定される（ステップＳ１３）。
【００８６】
エリアが判定されると、閾値生成部１２−４において、そのエリアに存在する色成分に対応する色検出ゲート信号が生成され（ステップＳ１４）、生成された色検出ゲート信号は、ピーキングマスク処理部１２−６（図２参照）に出力される。ピーキングマスク処理部１２−６では、入力された色検出ゲート信号に基づいて、ピーキング生成部１２−１から出力されたＰＥＡＫ信号に対するマスク処理が行われ、マスク処理が行われたピーキング信号ＰＫが出力される（ステップＳ１５）。
【００８７】
そして、加算器１４（または加算器１５）（図１参照）によって、輝度信号ＤＹとピーキング信号ＰＫとが加算される（ステップＳ１６）。つまり、映像信号の所定の色空間に対してのみ、ピーキング処理が施されるようになる。
【００８８】
一方、図５のステップＳ１で、「色選択輪郭補正モード」が選択されていないと判断された場合、つまり、「標準輪郭補正モード」が設定されている場合には、エリア判定部１２−５での色検出ゲート信号の生成がオフにされる（ステップＳ２）。すなわち、ピーキ
ングマスク処理部１２−６には色検出ゲート信号が出力されなくなる。このため、ピーキングマスク処理部１２−６ではマスク処理が行われず、ピーキング信号生成部１２−１で生成されたピーキング信号ＰＥＡＫが、そのままピーキング信号ＰＫとして出力されるようになる。そして、加算器１４（図１参照）によって、輝度信号ＤＹとピーキング信号ＰＫとが加算される（ステップＳ１６）。
【００８９】
この場合の、ピーキング信号ＰＫ（＝ピーキング信号ＰＥＡＫ）によって輪郭が強調される範囲は、図７に示されたもののようになる。図７には、輪郭補正有効領域Ａｒ２が網がけで示してあり、その範囲が画面全体に及んでいる状態が示されている。つまり、エリア判定部１２−５によって色検出ゲート信号が生成されない場合には、従来における処理と同様に、高周波成分が検出された映像信号のすべてに対して、ピーキング処理が施されるようになる。
【００９０】
再び図６のフローチャートに戻って説明を続けると、ステップＳ１７では、ユーザによるキャンセルスイッチの押下操作を受け付けたか否かの判断が行われ、キャンセルスイッチの押下を受け付けた場合には、図５のステップＳ３に戻って処理が続けられる。
【００９１】
キャンセルスイッチの押下を受け付けていないと判断された場合には、各種設定幅（輝度設定幅Ｗｌ、飽和度設定幅Ｗｓ、色相設定幅Ｗｈ）の調整を受け付けたか否かの判断が行われる（ステップＳ１８）。ユーザにより、各種設定値の調整が行われた場合には、ステップＳ１２に戻って処理が続けられる。つまり、ユーザによって新たに設定された各種設定幅の値に基づいて、閾値生成部１２−４によって、閾値ｍｉｎと閾値ｍａｘとが再計算されるようになる。ステップＳ１９で、各種設定幅の調整が完了したと判断された場合には、処理は終了となる。また、ステップＳ１８において、各種設定幅の調整処理が行われていないと判断された場合にも、その時点で処理は終了となる。
【００９２】
次に、図８のフローチャートを参照して、乗算器１３（図１参照）からピーキング信号ＰＫ′が出力された以降の処理について説明する。図８において、まず、輪郭補正のモードが「映像領域選択輪郭補正モード」に設定されているか否かの判断が行われる（ステップＳ２１）。
【００９３】
「映像領域選択輪郭補正モード」が選択されていないと判断された場合は、制御部３２による制御に基づいて、スイッチＳｗ１（図１参照）がオンにされ、スイッチＳｗ２がオフにされる（ステップＳ２２）。
【００９４】
ステップＳ２２でスイッチＳｗ１がオンにされたことにより、乗算器１３での処理によってレベル設定がされたピーキング信号ＰＫ′が、加算器１４によって、輝度信号ＤＹと加算される。そして、ピーキング信号ＰＫ′が加算された輝度信号ＤＹｐｋ１と、色差信号ＤＵ，ＤＶが、第１のスケーリング処理部１６ａに入力される。そして、スイッチＳｗ２がオフとされることにより、ピーキング信号ＰＫ′は、スイッチＳｗ２の接続先にある加算器１５には出力されなくなる。従って、加算器１５の接続先の第２のスケーリング処理部１６ｂには、ピーキング信号ＰＫ′が付加されていない輝度信号ＤＹｐｋ２と、色差信号ＤＵ，ＤＶが入力される。
【００９５】
「色選択輪郭補正モード」が選択されていない場合、第１のスケーリング処理部１６ａに入力される輝度信号ＤＹｐｋ１は、高域成分を有するすべての映像信号に対して、ピーキング信号ＰＫ′が加算されて生成された信号となる。「色選択輪郭補正モード」が選択されている場合、第１のスケーリング処理部１６ａに入力される輝度信号ＤＹｐｋ１は、高域成分を有し所定の色成分を含む映像信号に対して、ピーキング信号ＰＫ′が加算されて生成された信号となる。
【００９６】
次に、ステップＳ２４に進み、第１のスケーリング処理部１６ａにおいて、縮小比率（スケーリングの比率）が「Ａ」に設定された上で（ステップＳ２４）、画素変換処理が行われる。「Ａ」の値は、例えば表示素子２２（図１参照）の解像度を、入力映像信号の解像度で除算して得られる値等に設定してあるものとする。例えば表示素子２２の解像度が、入力映像信号の解像度の半分であった場合には、縮小率Ａは０．５に設定される。すなわちステップＳ２４では、表示素子２２の画素数に合わせて、画像を縮小する処理が行われることになる。
【００９７】
第１のスケーリング処理部１６ａで画素変換と、必要に応じてｉ／ｐ変換処理が行われた映像信号ＣＨ１と、第２のスケーリング処理部１６ｂで同様の処理を施された映像信号ＣＨ２は、第１のマトリクス処理部１７ａと第２のマトリクス処理部１７ｂを経由してオーバレイ処理部１８に出力される。そしてオーバレイ処理部１８によって、制御部３２から入力される２画面合成制御信号に基づいて、映像信号ＣＨ１のみが出力される。
【００９８】
つまり、「映像領域選択輪郭補正モード」が選択されていない場合には、制御部３２よりオーバレイ処理部１８に対して、映像信号ＣＨ１のみを出力するよう指示する２画面合成制御信号が供給される。もしくは、「映像領域選択輪郭補正モード」が選択されていない場合には、第２のスケーリング処理部１６ｂには映像信号を出力しないような構成としてもよい。また、「映像領域選択輪郭補正モード」を備えないシステム構成としてもよく、この場合は、スケーリング処理部１６、マトリクス処理部１７の処理系統を１本とするようにしてもよい。つまり、画像処理部３０からは、映像信号ＣＨ１のみが出力されるような構成としてもよい。
【００９９】
オーバレイ処理部１８から出力された映像信号ＣＨ１は、マーカ加算部１９、ＯＳＤ処理部２０、表示素子駆動部２１を経由して表示素子２２に表示される。映像信号ＣＨ１は、輝度信号ＤＹｐｋ１を基に生成された信号であり、輝度信号ＤＹｐｋ１は、「色選択輪郭補正モード」が選択されていない場合には、高域成分を有するすべての映像信号に対して、ピーキング信号ＰＫ′が加算されて生成された信号となる。また、「色選択輪郭補正モード」が選択されている場合には、高域成分を有し、かつ所定の色成分を含む映像信号に対して、ピーキング信号ＰＫ′が加算されて生成された信号となる。このため、例えば「映像領域選択輪郭補正モード」と「色選択輪郭補正モード」のいずれも選択されていない場合、つまり「標準輪郭補正モード」が選択されている場合には、映像信号ＣＨ１による表示画像は、図７に示したようなものとなる。すなわち、輪郭補正有効領域Ａｒ２が画面全体に及ぶようになる。
【０１００】
図８のステップＳ２１で、「映像領域選択輪郭補正モード」が選択されていると判断された場合には、スイッチＳｗ１はオフにされ、スイッチＳｗ２がオンにされる（ステップＳ２６）。つまり、乗算器１３によってレベル設定されたピーキング信号ＰＫ′は、スイッチＳｗ１の接続先にある加算器１４には出力されず、スイッチＳｗ２の接続先にある加算器１５のみに出力される。
【０１０１】
加算器１４にはピーキング信号ＰＫ′が入力されないため、Ａ／Ｄ変換部１１（図１参照）から出力された輝度信号ＤＹが、そのまま輝度信号ＤＹｐｋ１として第１のスケーリング処理部１６ａに出力される。すなわち、第１のスケーリング処理部１６ａには、輪郭補正処理が施されない輝度信号ＤＹｐｋ１が入力されることになる。
【０１０２】
また、加算器１５には、スイッチＳｗ２を介してピーキング信号ＰＫ′が入力されるため、加算器１５から第２のスケーリング処理部１６ｂに対しては、輝度信号ＤＹとピーキング信号ＰＫ′とが加算して生成された、輝度信号ＤＹｐｋ２が入力される。すなわち、第２のスケーリング処理部１６ｂには、輪郭補正処理が施された輝度信号ＤＹｐｋ２が入力されることになる。
【０１０３】
続いて、ユーザより、輪郭補正有効領域Ａｒ２の位置や大きさを指定する操作を受け付ける（ステップＳ２７）。図９に、輪郭補正有効領域Ａｒ２を指定するためのＧＵＩ（Graphical User Interface）の例を示してある。図９には、画面の中央部に、輪郭補正有効領域指定マーカＭｋ２が表示された状態が示されている。この輪郭補正有効領域指定マーカＭｋ２の大きさ及び位置、ユーザが自由に変更することができるようにしてある。
【０１０４】
図９に示したような輪郭補正有効領域指定マーカＭｋ２によって、輪郭補正有効領域Ａｒ２が決定されると、次に、「拡大表示モード」がオフに設定されているか否かの判断が行われる（ステップＳ２８）。「拡大表示モード」がオフにされている場合には、第１のスケーリング処理部１６ａと第２のスケーリング処理部１６ｂの両方において、スケーリング比率が「Ａ」に設定され（ステップＳ２９）、オーバレイ処理部１８によって、第１のスケーリング処理部１６ａから入力された映像ＣＨ１の上面に、第２のスケーリング処理部１６ｂから入力され、マスク処理が施された映像ＣＨ２が重畳される（ステップＳ３０）。
【０１０５】
図１０（ａ）に、「映像領域選択輪郭補正モード」が選択され、かつ拡大表示モードがオフに設定されている場合の表示例を示してある。図１０（ａ）には、画面全体に映し出された映像ＣＨ１の上面に、輪郭補正有効領域Ａｒ２が重畳された状態が示されている。また、輪郭補正有効領域Ａｒ２に表示された映像が、第２のスケーリング処理部１６ｂからの入力映像ＣＨ２であることが示されている。
【０１０６】
つまり、「映像領域選択輪郭補正モード」が選択され、かつ拡大表示モードがオフに設定された場合には、輪郭補正有効領域指定マーカＭｋ２によって特定された輪郭補正有効領域Ａｒ２に対してのみ輪郭補正処理が行われ、それ以外の領域（映像ＣＨ１が表示される領域）に表示される映像信号には、ピーキング処理が施されなくなる。
【０１０７】
図８のステップＳ２８で、拡大表示モードがオンに設定されていると判断された場合には、次に「拡大表示モード１」が選択されているか否かの判断が行われる（ステップＳ３１）。「拡大表示モード１」が選択されている場合には、第１のスケーリング処理部１６ａにおけるスケーリング比率は「Ａ」に、第２のスケーリング処理部１６ｂにおけるスケーリング比率は「Ｂ」に設定される（ステップＳ３２）。
【０１０８】
スケーリング比率Ｂは、スケーリング比率Ａよりは大きく、かつ１以下の値に設定されているものとする。スケーリング比率Ａが０．５に設定されている場合には、例えば０．８等の値に設定される。スケーリング比率Ｂが１の場合、第２のスケーリング処理部１６ｂではスケーリング処理が施されず、必要に応じてｉ／ｐ変換処理が行われることになる。そして、オーバレイ処理部１８によって、第１のスケーリング処理部１６ａから入力された映像ＣＨ１の上面に、第２のスケーリング処理部１６ｂから入力され、マスク処理が施された映像ＣＨ２が重畳される（ステップＳ３０）。
【０１０９】
図１０（ｂ）に、「映像領域選択輪郭補正モード」が選択され、かつ「拡大表示モード１」が選択されている場合の表示例を示してある。図１０（ｂ）には、画面全体に映し出された第１のスケーリング処理部１６ａからの入力映像ＣＨ１の上面に、輪郭補正有効領域Ａｒ２が拡大されて重畳されている状態が示されている。また、輪郭補正有効領域Ａｒ２に表示された映像は、第２のスケーリング処理部１６ｂからの出力映像ＣＨ２であることが示されている。
【０１１０】
つまり、「映像領域選択輪郭補正モード」が選択され、かつ「拡大表示モード１」が選択された場合には、輪郭補正有効領域指定マーカＭｋ２によって特定された輪郭補正有効領域Ａｒ２に対してのみ輪郭補正処理が行われ、かつ、輪郭補正有効領域Ａｒ２が拡大して表示されるようになる。そして、それ以外の領域に表示される映像信号には、ピーキング処理が施されなくなる。
【０１１１】
このように、輪郭補正有効領域Ａｒ２に表示される映像が拡大されることで、フォーカス調整対象の被写体の解像度も向上する。これにより、ユーザはフォーカスの調整をより行いやすくなる。さらに、輪郭補正有効領域Ａｒ２の背面には、ピーキング処理の施されていない通常の映像が画面全体に渡って表示されるようになるため、フォーカスの調整とともに、構図の確認も同時に行うことができるようになる。
【０１１２】
ここでの輪郭補正有効領域Ａｒ２における映像の表示の拡大率は、図８のステップＳ３２で第２のスケーリング処理部１６ｂに設定される、スケーリング比率Ｂにより決まる。従ってユーザは、フォーカス調整の対象エリアにおける拡大率を変更したい場合には、縮小率Ｂの値を、１≧Ｂ＞Ａの範囲内における任意の値に設定することで、ピーキング処理が施される範囲である輪郭補正有効領域Ａｒ２の表示サイズを、変えることができる。
【０１１３】
図８のステップＳ３１で、「拡大表示モード１」が選択されていないと判断された場合、つまり、「拡大表示モード２」が選択されている場合には、第１のスケーリング処理部１６ａにおけるスケーリング比率は「Ａ′」に、第２のスケーリング処理部１６ｂにおけるスケーリング比率は「Ｂ′」に設定される（ステップＳ３３）。スケーリング比率Ａ′は、スケーリング比率Ａよりも小さな値に設定されているものとし、スケーリング比率Ｂ′は、スケーリング比率Ａよりは大きく、かつ１以下の値に設定されているものとする。そして、オーバレイ処理部１８によって、第２のスケーリング処理部１６ｂから入力され、マスク処理が施された映像ＣＨ２の上面に、第１のスケーリング処理部１６ａから入力された映像ＣＨ１が重畳される（ステップＳ３４）。
【０１１４】
図１０（ｃ）に、「映像領域選択輪郭補正モード」が選択され、かつ「拡大表示モード２」が選択されている場合の表示例を示してある。図１０（ｃ）では、図１０（ａ）や図１０（ｂ）の表示例とは異なり、第２のスケーリング処理部１６ｂからの入力映像ＣＨ２が画面の全面に表示され、その上面に、第１のスケーリング処理部１６ａから入力された映像ＣＨ１が重畳されている。
【０１１５】
つまり、「映像領域選択輪郭補正モード」が選択され、かつ「拡大表示モード２」が選択された場合には、輪郭補正有効領域Ａｒ２が画面全面に表示され、輪郭補正が施されていない映像ＣＨ１は、画面の右下端等の所定の位置に、縮小して表示されるようになる。
【０１１６】
「拡大表示モード２」によれば、ユーザは輪郭補正有効領域Ａｒ２を拡大して、画面全体に表示させることができるため、フォーカスの調整がより行い易くなる。それとともに、子画面上に構図確認用の映像を表示させることができるため、フォーカスの調整と構図の確認を同時に行うことができる。
【０１１７】
上述した実施の形態によれば、ピーキング処理を施す範囲を、映像信号に含まれる色成分や表示画面上での領域によって特定することができるようになる。そして、特定された範囲以外にはピーキング処理が施されなくなるため、輪郭補正が行われるべきではない領域に対して、ピーキング処理が施されてしまうことを防止することができる。
【０１１８】
この場合、フォーカス調整を行いたい被写体に関連する箇所にのみ、輪郭補正を行うことができるようになるため、ユーザによるフォーカスの調整を容易にすることができる。
【０１１９】
また、上述した実施の形態によれば、画面上に表示される「色成分抽出領域決定マーカＭｋ１」や「輪郭補正有効領域指定マーカＭｋ２」の大きさや位置に基づいて、輪郭補正が行われる範囲が決定される。このためユーザは、輪郭補正を行いたい範囲を、これらのマーカの大きさや位置を動かすことによって容易に設定することができる。
【０１２０】
また、「色選択輪郭補正モード」が選択されている場合には、ユーザにより選択された特定の領域に含まれる色成分と、近似する色空間に含まれる色成分を有する被写体に対してのみ、ピーキング処理が施されるようになる。このためユーザは、特定の被写体を対象としたフォーカスの調整を、容易に行うことができる。
【０１２１】
この場合、様々な映像領域に映し出された様々な色の被写体に対して、選択的に輪郭補正を行うことができるため、選択した特定の被写体に対するフォーカスの調整が容易になる。
【０１２２】
例えば、被写体として人物が複数存在するコマ等においては、その中の１人の肌の部分等を指定するだけで、その色成分と近似する色成分を有する映像空間全体に対して、輪郭補正処理が施されるようになる。つまり、複数の被写体をそれぞれ特定することなく、すべての被写体（の肌色部分のみ）を輪郭補正する等のことができるようになる。このような表示をすることで、被写体中の人物のみを対象に容易にフォーカス調整を行うことができる。
【０１２３】
また、「色選択輪郭補正モード」が選択されている場合には、ユーザによって指定された領域に含まれる色成分と、映像信号に含まれる色成分とのマッチングを行う際に用いられる閾値として、上限値（ｍａｘ）と下限値（ｍｉｎ）の２つの値を設けている。これにより、ユーザによって指定された領域に含まれる色成分と完全に一致する色成分を有する領域だけでなく、近似する色成分を有する領域に対しても、輪郭補正が行われるようになる。
【０１２４】
この場合、閾値算出時にパラメータとして用いられる輝度設定幅Ｗｌ、飽和度設定幅Ｗｓ、色相設定幅Ｗｈのそれぞれの値を、ユーザによって自由に設定可能としてあるため、ユーザは、これらの設定幅を増減させることにより、輪郭補正を行う対象となる領域の範囲を自在に調整することができる。
【０１２５】
さらに、これらの設定幅の値を変更した時点で、新たに設定された設定幅の値を用いて再び閾値が設定され、この閾値に基づいて輪郭補正有効領域Ａｒ２が再設定されるため、ユーザはピーキング処理を施したい領域を、視覚的・感覚的な操作によって調整することができるようになる。
【０１２６】
また、「映像領域選択輪郭補正モード」が選択されている場合には、輪郭補正有効領域Ａｒ２としてユーザに指定された領域に対してのみ、輪郭補正処理が施されるようになる。これにより、ユーザはフォーカス調整を行いたい対象を、領域を指定することで容易に特定することができるようになる。
【０１２７】
また、「拡大表示モード１」又は「拡大表示モード２」が選択されることにより、輪郭補正を有効とする領域中の映像が拡大して表示されるようになるため、ユーザは、輪郭補正有効領域Ａｒ２内の映像の、より詳細な部分を確認しながら、容易にフォーカス調整を行うことができる。
【０１２８】
また、いずれの拡大表示モードにおいても、輪郭補正処理が施されたフォーカス調整用の映像とともに、ピーキング処理が施されていない通常の映像も同時に表示されるため、ユーザは、構図を確認しながらフォーカス調整を行うことができる。
【０１２９】
すなわち、フォーカス調整を行いたい領域を大きく表示したい場合と、構図確認用の領域の方を大きく表示したい場合とで、ユーザはモードを選択的に切り替えて使用することができる。
【０１３０】
「色選択輪郭補正モード」と「映像領域選択輪郭補正モード」とどちらの輪郭補正モードも選択されていない「標準輪郭補正モード」との３つのモードが用意されている。よって、ユーザは、ピーキング処理を施す範囲を特に設定する必要がない場合には「標準輪郭補正モード」を選択する等、用途に応じてこれらのモードを使い分けることができるようになる。
【０１３１】
なお、上述した実施の形態では、３つの輪郭補正モードのうち、いずれか１つの輪郭補正モードのみを使用可能とする構成を例に挙げたが、「色選択輪郭補正モード」と「映像領域選択輪郭補正モード」との両方の機能を同時に使用可能な構成に適用してもよい。
【０１３２】
図１１（ａ）及び図１１（ｂ）には、画面上に、フォーカスを合わせの対象物である被写体Ｏｂ１と、被写体Ｏｂ１の色成分と近似した色成分を持つ被写体Ｏｂ４とが、同時に存在している状態が示されている。図１１（ａ）は、このような画面において、「色選択輪郭補正モード」が選択された場合の表示例を示したものである。
【０１３３】
「色選択輪郭補正モード」によって、輪郭補正有効領域Ａｒ２が決定された場合には、図１１（ａ）に示されたように、フォーカス合わせを行いたい対象としての被写体Ｏｂ１だけでなく、被写体Ｏｂ４も、輪郭補正有効領域Ａｒ２の範囲に含まれてしまう。つまり、ピーキング処理を施す必要のない被写体Ｏｂ４に対しても、輪郭補正が行われてしまう。
【０１３４】
このような場合、「映像領域選択輪郭補正モード」を選択し、輪郭補正有効領域Ａｒ２の大きさや位置を、被写体Ｏｂ１が存在する領域のみに縮小することで、輪郭補正を行う対象を被写体Ｏｂ１のみに限定することが可能となる。
【０１３５】
この場合の表示例を図１１（ｂ）に示してある。図１１（ｂ）には、輪郭補正有効領域Ａｒ２が、被写体Ｏｂ１の顔面付近のみに縮小されている状態が示されている。このような操作を行うことにより、輪郭補正が行われる対象が、輪郭補正有効領域Ａｒ２内の、特定の色成分を有する映像領域のみに限定されるようになる。
【０１３６】
つまり、「色選択輪郭補正モード」と「映像領域選択輪郭補正モード」とを組み合わせて使用することにより、フォーカス合わせの対象物以外の被写体が、フォーカス合わせの対象の被写体が有する色成分と近似した色成分を有していた場合にも、それらのフォーカス合わせ対象外の被写体を、輪郭補正の対象領域から外すことができるようになる。
【０１３７】
また、上述した実施の形態では、１つの撮像装置が３つの輪郭補正モードと、３つの拡大表示のモードを有する例を挙げたが、拡大表示は行わない構成に適用してもよい。このような構成とした場合のブロック図を、図１２に示してある。図１２において、図１と対応する箇所には同一の符号を付してあり、詳細な説明は省略する。
【０１３８】
図１２に示した撮像装置１００′は、ビューファインダ部６０′のスケーリング処理部１６′と、マトリクス処理部１７′を、それぞれ１つのみで構成してある。このため、２つの処理系統によって処理された映像を合成するための、オーバレイ処理部も不要となっている。代わりに、ピーキング信号処理部１２から出力されるピーキング信号ＰＫに対してマスク処理を行う、ピーキング有効領域マスク処理部４０を設けている。
【０１３９】
ピーキング有効領域マスク処理部４０は、制御部３２からエリアゲート信号が供給された場合に、そのエリアゲート信号を用いて、ピーキング処理部１２から入力されたピーキング信号ＰＫをマスク処理する。エリアゲート信号は、ユーザにより指定された輪郭補正有効領域Ａｒ２の位置情報に対応して、制御部３２で生成されるものである。このエリアゲート信号を用いて、ピーキング信号ＰＫに対するマスク処理が行われることで、ユーザにより指定された領域内における、高周波成分を有する映像に対してのみ、輪郭補正処理が施されることになる。
【０１４０】
図１３に、ピーキング有効領域マスク処理部４０による処理の例を、フローチャートで示してある。まず、「映像領域選択輪郭補正モード」が選択されているか否かの判断が行われ（ステップＳ４１）、「映像領域選択輪郭補正モード」が選択されていない、つまり、「色選択輪郭補正モード」もしくは「標準輪郭補正モード」が選択されている場合には、ピーキング処理部１２から入力されたピーキング信号を、そのまま出力する処理が行われる（ステップＳ４２）。
【０１４１】
つまり、「色選択輪郭補正モード」や「標準輪郭補正モード」が選択された場合には、制御部３２よりエリアゲート信号が供給されないため、ピーキング有効領域マスク処理部４０においては、マスク処理が行われない。
【０１４２】
ステップＳ４１において、「映像領域選択輪郭補正モード」が選択されていると判断された場合には、制御部３２から供給されたエリアゲート信号を用いて、ピーキング処理部１２から出力されたピーキング信号ＰＫをマスクする処理が行われる（ステップＳ４３）。そして、マスク処理が施されたピーキング信号ＰＫ′′が、乗算器１３に出力される（ステップＳ４４）。
【０１４３】
乗算器１３では、マスク処理されたピーキング信号ＰＫ′′に、制御部３２から供給されたピーキングレベル設定信号が乗算され、ピーキング信号ＰＫ′が生成される。ピーキングレベルが調整されたピーキング信号ＰＫ′は加算器１４に出力され、加算器１４によって、輝度信号ＤＹと加算される。
【０１４４】
なお、図１２に示した撮像装置１００′において、「映像領域選択輪郭補正モード」に加えて、「色選択輪郭補正モード」での処理も行われた場合には、ピーキング有効領域マスク処理部４０に入力されるピーキング信号ＰＫは、特定の色空間がゲートされた信号であることになる。このようなピーキング信号ＰＫに対して、さらにピーキング有効領域マスク処理部４０、エリアゲート信号によるマスク処理が施されることで、ピーキング処理が施される対象は、ユーザにより指定された映像領域内の、ユーザにより指定された色成分を有する被写体のみに限定されるようになる。
【０１４５】
このような構成とすることにより、図１に示した例に比べて回路構成を低減することができる上に、ユーザにより選択された輪郭補正モードに応じて、輪郭補正処理を施す範囲が決定されるようになる。
【０１４６】
なお、上述した実施の形態では、ビューファインダ部６０（６０′）を備えた撮像装置１００（１００′）に適用した例を挙げたが、ビューファインダ部６０（６０′）は備えない構成に適用するようにしてもよい。つまり、出力端子等を通して外部の表示装置に映像信号を出力する装置に適用してもよい。また、カメラ部５０を有さず、外部の撮像装置から入力される映像信号を処理する映像信号処理装置に適用してもよい。
【図面の簡単な説明】
【０１４７】
【図１】本発明の一実施の形態による撮像装置の内部構成例を示すブロック図である。
【図２】本発明の一実施の形態によるピーキング処理部の内部構成例を示すブロック図である。
【図３】本発明の一実施の形態による色抽出の概念を説明する説明図であり、（ａ）は色成分抽出領域の設定例を示し、（ｂ）は閾値生成のパラメータである各サンプル値と各設定幅との関係を示し、（ｃ）は色成分抽出領域で抽出された色成分に基づいて決定された、輪郭補正有効領域の例を示す。
【図４】本発明の一実施の形態による輪郭補正有効領域の範囲の例を示す説明図であり、（ａ）は輪郭補正有効領域の範囲を狭めた場合の表示例を示し、（ｂ）は輪郭補正有効領域の範囲広げた場合の表示例を示す。
【図５】本発明の一実施の形態による色選択輪郭補正モード選択時の処理の例を示すフローチャートである。
【図６】本発明の一実施の形態による色選択輪郭補正モード選択時の処理の例を示すフローチャートである。
【図７】本発明の一実施の形態による標準輪郭補正モード選択時の輪郭補正有効領域の表示例を示す説明図である。
【図８】本発明の一実施の形態による映像領域選択輪郭補正モード選択時の処理の例を示すフローチャートである。
【図９】本発明の一実施の形態による輪郭補正有効領域の表示例を示す説明図である。
【図１０】本発明の一実施の形態による各拡大表示モード選択時における表示例を示す説明図であり、（ａ）は「拡大表示モードオフ」選択時の表示例を示し、（ｂ）は「拡大表示モード１」選択時の表示例を示し、（ｃ）は「拡大表示モード２」選択時の表示例を示す。
【図１１】本発明の一実施の形態による色選択輪郭補正モードと映像領域選択輪郭補正モードとを併用した場合の表示例を示す説明図であり、（ａ）は色選択輪郭補正モードのみを使用した場合の表示例を示し、（ｂ）は色選択輪郭補正モード及び映像領域選択輪郭補正モードを用いた場合の表示例を示す。
【図１２】本発明の他の実施例による撮像装置の内部構成例を示すブロック図である。
【図１３】本発明の他の実施例によるピーキング有効領域マスク処理部の処理の例を示すフローチャートである。
【図１４】従来の撮像装置の構成例を示すブロック図である。
【符号の説明】
【０１４８】
１…撮像レンズ、２…レンズ鏡筒、３…プリズム、４…撮像素子、５…ビデオアンプ、６…Ａ／Ｄ変換部、７…デジタル信号処理部、８…Ｄ／Ａ変換部、９…ビデオアンプ、１０…帯域制限フィルタ、１１…Ａ／Ｄ変換部、１２…ピーキング処理部、１２−１…ピーキング信号生成部、１２−２…飽和度変換部、１２−３…色相変換部、１２−４…閾値生成部、１２−５…エリア判定部、１２−６…ピーキングマスク処理部、１３…乗算器、１４，１５…加算器、１６ａ…第１のスケーリング処理部、１６ｂ…第２のスケーリング処理部、１７ａ…第１のマトリクス処理部、１７ｂ…第２のマトリクス処理部、１８…オーバレイ処理部、１９…マーカ加算部、２０…ＯＳＤ処理部、２１…表示素子駆動部、２２…表示素子、３０…画像処理部、３１…操作部、３２…制御部、４０…ピーキング有効領域マスク処理部、ＰＫ…ピーキング信号、Ｓｗ１，Ｓｗ２，Ｓｗ３…スイッチ、Ｙｍｉｎ，Ｙｍａｘ…輝度閾値、Ｓｍｉｎ，Ｓｍａｘ…飽和度閾値、Ｈｍｉｎ，Ｈｍａｘ…色相閾値
【図１】
0004508256.tif 000002
【図２】
0004508256.tif 000003
【図３】
0004508256.tif 000004
【図４】
0004508256.tif 000005
【図５】
0004508256.tif 000006
【図６】
0004508256.tif 000007
【図７】
0004508256.tif 000008
【図８】
0004508256.tif 000009
【図９】
0004508256.tif 000010
【図１０】
0004508256.tif 000011
【図１１】
0004508256.tif 000012
【図１２】
0004508256.tif 000013
【図１３】
0004508256.tif 000014
【図１４】
0004508256.tif 000015